(57)【特許請求の範囲】
【請求項１】
レンズ部を内蔵するレンズ固定部と、前記レンズ部に固着され回転可能なフランジ部を有するカメラ装置に取付けられる広角撮影装置であって、
平凹レンズと、
前記平凹レンズを位置固定するための位置固定部と、該位置固定部に前記平凹レンズが位置固定された状態で、前記フランジ部の一方の端部が位置決めされる位置決め部とを有する第１の固定板と、
前記フランジ部の他方の端部が位置決めされる位置決め部を有する第２の固定板とから構成され、
前記第１の固定板と前記第２の固定板は、前記平凹レンズおよび前記フランジ部を位置決めした状態で互いに取り外し可能に固定され、この状態で前記平凹レンズは前記フランジ部とともに回転可能であることを特徴とする広角撮影装置。
【請求項２】
前記レンズ固定部と前記第２の固定板との間に板バネを配設した請求項１記載の広角撮影装置。
【請求項３】
レンズ部を内蔵するレンズ固定部と、前記レンズ部に固着され回転可能なフランジ部を有するカメラ装置において、
平凹レンズと、
前記平凹レンズを位置固定するための位置固定部と、該位置固定部に前記平凹レンズが位置固定された状態で、前記フランジ部の一方の端部が位置決めされる位置決め部とを有する第１の固定板と、
前記フランジ部の他方の端部が位置決めされる位置決め部を有する第２の固定板とから構成され、
前記第１の固定板と前記第２の固定板は、前記平凹レンズおよび前記フランジ部を位置決めした状態で互いに取り外し可能に固定され、この状態で前記平凹レンズは前記フランジ部とともに回転可能である広角撮影装置を設けたことを特徴とするカメラ装置。
【発明の詳細な説明】
【０００１】
【発明の属する技術分野】
本発明は、カメラ装置の先端部に取り付けることにより撮影画角を拡大する広角撮影装置に関する。
【０００２】
【従来の技術】
近年、ＣＣＤ（ｃｈａｒｇｅ  ｃｏｕｐｌｅｄ  ｄｅｖｉｃｅ）素子を用いた監視カメラが小型で安価になり、個人宅の玄関に取り付けられたり、あるいは自動車の後部に取付けられ、状態を目視で監視するのに使用されてきている。こうした従来の監視カメラにおいては、先端部にフランジ部を有し、フランジ部を回転させることにより内蔵されているレンズとＣＣＤ素子との距離を調整し、被写体の画像をＣＣＤ素子に合焦点させるようにしている。
【０００３】
カメラによってはＣＣＤ素子で電気信号に変換した画像信号を外部装置へ送って出力するようにしたものもある。また例えば自動現金処理機（ＡＴＭ）にこうした監視カメラを内蔵し、２４時間運用中の障害を未然に防ぐためにＡＴＭを操作する顧客の動作を監視するのに使用することも検討されている。
【０００４】
【発明が解決しようとする課題】
しかしながら、上記のような監視カメラで広角の撮影をしようとすると困難が伴う。小型監視カメラのレンズ部は一般的にそのカメラに専用に設計されており、撮影仕様に合わせて広角撮影しようとしてもレンズ部の交換ができない。広範囲を撮影できる魚眼レンズは高価であり、実際の魚眼レンズを取付けた小型監視カメラは非常に少ない。小型監視カメラにおいて、広角撮影が可能なレンズを新たに開発するとなるとその開発費および開発期間がかかる。
【０００５】
また監視カメラのレンズを交換可能にすることも考えられるが、たとえ交換可能にできたとしても交換中に埃や塵がレンズに付着する可能性がある。
【０００６】
【課題を解決するための手段】
上記課題を解決するために本発明は、レンズ部を内蔵するレンズ固定部と、前記レンズ部に固着され回転可能なフランジ部を有するカメラ装置に取付けられる広角撮影装置であって、平凹レンズと、前記平凹レンズを位置固定するための位置固定部と、該位置固定部に前記平凹レンズが位置固定された状態で、前記フランジ部の一方の端部が位置決めされる位置決め部とを有する第１の固定板と、前記フランジ部の他方の端部が位置決めされる位置決め部を有する第２の固定板とから構成され、前記第１の固定板と前記第２の固定板は、前記平凹レンズおよび前記フランジ部を位置決めした状態で互いに取り外し可能に固定され、この状態で前記平凹レンズは前記フランジ部とともに回転可能であることを特徴とする。
【０００７】
上記構成の本発明によれば、第１の固定板と第２の固定板により平凹レンズをフランジ部に重ねて固定するので、レンズの開発費と開発期間がかからず、またカメラのレンズを交換する必要がない。第１の固定板と第２の固定板により固定される平凹レンズは簡単に交換可能であり、この平凹レンズを交換することにより撮影する仕様に容易に対応することができる。
【０００９】
【発明の実施の形態】
以下、本発明の実施の形態を図面にしたがって説明する。図１は本発明の実施の形態の広角撮影装置が取付けられた小型監視カメラの要部を示す断面図、図２は実施の形態の広角撮影装置が取付けられた小型監視カメラを示す平面図、図３は実施の形態の広角撮影装置が取付けられた小型監視カメラを示す側面図である。
【００１０】
図１、図２、図３において、小型監視カメラ１は、フランジ部２、レンズ固定部３および制御回路部４を有する。レンズ固定部３にはレンズ部５が内蔵され、レンズ部５はネジ部６によりレンズ固定部３に対して位置をずらすことができる。レンズ部５に対向する制御回路部４にはＣＣＤ素子７が配設されている。フランジ部２はレンズ部５に固着して回転可能に設けられている。フランジ部２が回転することにより、レンズ部５とＣＣＤ素子７との距離が変化する。フランジ部２から入る光はレンズ部５を通ってＣＣＤ素子７へ到達する。
【００１１】
フランジ部２とレンズ固定部３の間には隙間８が形成され、この隙間８に板ばね９が配設されている。板ばね９はフランジ部２とレンズ固定部３を互いに離れる方向に押付ける。
【００１２】
フランジ部２には本発明の広角撮影装置１０が取付けられている。広角撮影装置１０は、レンズマウント１１、フロントリング１２および平凹レンズ１３とから成る。広角撮影装置１０はフランジ部２と一緒に回転し、広角撮影装置１０を回転させることにより、レンズ部５とＣＣＤ素子７との距離を変更できる。このように広角撮影装置１０を取付けたことにより、焦点距離がｆ＝−１２ｍｍである平凹レンズ１３を取付けた場合、取付ける前の焦点距離がｆ＝３．５ｍｍであったレンズ部５の焦点距離がｆ＝約２．３ｍｍに変化する。即ち、小型監視カメラ１の画角を広角へと変更できることになる。
【００１３】
平凹レンズ１３はフロントリング１２によりフランジ部２に重ねられた状態で固定され、フロントリング１２は平凹レンズ１３の側面全体およびフランジ部２の上部側面を覆っているので、平凹レンズ１３の側面および底面方向から光が入り込むことはない。レンズマウント１１はフランジ部２の下部周面を覆うように取付けられ、レンズマウント１１の一部（後述する段差部１７）が隙間８に入り込み、上述した板ばね９はこの一部とレンズ固定部３との間に配設される。レンズマウント１１とフロントリング１２はネジ１４により固定される。このネジ止めにより平凹レンズ１３もフランジ部２に固定される。
【００１４】
次に広角撮影装置１０の各部の詳細を説明する。図４はレンズマウントを示す上面図、図５はレンズマウントを示す側面図、図６はレンズマウントを示す底面図である。
【００１５】
図４、図５、図６において、レンズマウント１１にはＵ字切欠き部１６が形成され、レンズマウント１１の上面側にはＵ字切欠き部１６に沿って段差部１７が形成されている。この段差部１７にはフランジ部２の下部周面が位置決めされる。段差部１７に連続して突起逃げ部１８が形成されている。突起逃げ部１８はフランジ部２に形成されている後述する突起が入り込むようになっている。またＵ字切欠き部１６の端部に面取り部１９が形成されている。
【００１６】
レンズマウント１１の底面側にはＵ字切欠き部１６の両側に板ばね固定溝２０が形成されている。板ばね固定溝２０は、上述の板ばね９の一部が入り込む。またレンズマウント１１には３箇所にネジ孔２１が形成されている。
【００１７】
図７はフロントリングを示す上面図、図８はフロントリングを示す側面図、図９はフロントリングを示す底面図である。
【００１８】
図７、図８、図９において、フロントリング１２には中央に孔２２が形成され、フロントリング１２の上面側には孔２２の全周囲に渡って段差部２３が形成されている。段差部２３の上部２３ａは図９に示すように平凹レンズ１３を固定できる形状になっている。フロントリング１２の底面側には段差部２４がレンズマウント１１のＵ字切欠き部１６に対向する位置に形成され、段差部２３の底面部にフランジ部２を位置決めするための位置決め部２５が形成されている。位置決め部２５に連続して突起逃げ部２６が形成されている。またフロントリング１２には３箇所にネジ孔２７が形成されている。
【００１９】
次に広角撮影装置１０の取付け方法をさらに図１０、図１１にしたがって説明する。図１０、図１１は実施の形態の広角撮影装置の実装方法を示す説明図で、図１０はフランジ部にレンズマウントを取付けた状態を示し、図１１はさらに平凹レンズおよびフロントリングを取付けた状態を示す。
【００２０】
まずレンズマウント１１をフランジ部２の下部に嵌め込む。レンズマウント１１を嵌め込む場合、まず板ばね９を姿勢変更してレンズマウント１１の板ばね固定溝２０に嵌め込む必要がある。レンズマウント１１を嵌め込む場合、そのＵ字切欠き部１６にフランジ部２とレンズ固定部３の間のレンズ部５が入り込むようにレンズマウント１１を嵌め込む。このときレンズマウント１１に形成された面取り部１９が板ばね９とフランジ部２の間に容易に入り込めるので、レンズマウント１１を容易に嵌め込むことができる。
【００２１】
板ばね９の姿勢調整は、実際にカメラ１で撮影する場合に、広角撮影装置１０を回転させてレンズ部５とＣＣＤ素子７との距離を調整するとき、広角撮影装置１０の回転につられて板ばね９も回転して、板ばね９がレンズマウント１１を押している２箇所の接触点がレンズマウント１１のＵ字切欠き部１６に入り込むと、板ばね９の押圧力が偏ってしまうのを防止するためである。押圧力が偏ると、広角撮影装置１０とレンズ固定部３の間でガタが発生し、ＣＣＤ素子７に対する合焦点がうまくいかなくなる。板ばね９の２箇所の接触点が板ばね固定溝２０に嵌め込まれることにより、板ばね９は広角撮影装置１０の回転に伴って回転し、押圧力が偏ることはなくなる。
【００２２】
レンズマウント１１をフランジ部２の下部に嵌め込む際に、フランジ部２に形成されている突起２ａ（図１０）がレンズマウント１１の突起逃げ部１８に入り込むようにする。フランジ部２の下部周面はレンズマウント１１の段差部１７に密着する。
【００２３】
次に平凹レンズ１３をフロントリング１２の段差部２３に嵌め込み、固定する。段差部２３は平凹レンズ１３の外径とほぼ同じ寸法に形成され、段差部２３にはめ込まれることにより、平凹レンズ１３はフロントリング１２に固定される。次にフランジ部２の上部がフロントリング１２の位置決め部２５に入り込むように、平凹レンズ１３を固定したフロントリング１２を取付ける。
【００２４】
このときフランジ部２に形成されている突起２ａがフロントリング１２の突起逃げ部２６に入り込むようにする。また図１１に示すように、フロントリング１２の段差部２４がレンズマウント１１のＵ字切欠き部１６に入り込むようにするとともに、ネジ孔２７の位置をレンズマウント１１のネジ穴２１の位置と一致させる。最後にネジ１４によりレンズマウント１１とフロントリング１２を固定して取付けを終了する。
【００２５】
撮影の仕様に合わせて平凹レンズ１３を交換する場合は、ネジ１４を取り外すことにより容易に新たな平凹レンズと交換することができる。
【００２６】
【発明の効果】
以上の詳細に説明したように本発明によれば、広角撮影装置をカメラ装置のフランジ部に取付けるだけでカメラ装置の画角を広角に変更することができるので、新規のレンズを開発する必要がなく、またカメラ装置を分解する必要もない。したがってレンズ開発の開発費および開発期間がかからない。またカメラ装置を分解する必要がないので、カメラ装置の内部に埃や塵が入り込みことはない。
【図面の簡単な説明】
【図１】実施の形態の広角撮影装置が取付けられた小型監視カメラを示す断面図である。
【図２】実施の形態の広角撮影装置が取付けられた小型監視カメラを示す平面図である。
【図３】実施の形態の広角撮影装置が取付けられた小型監視カメラを示す側面図である。
【図４】レンズマウントを示す上面図である。
【図５】レンズマウントを示す側面図である。
【図６】レンズマウントを示す底面図である。
【図７】フロントリングを示す上面図である。
【図８】フロントリングを示す側面図である。
【図９】フロントリングを示す底面図である。
【図１０】実施の形態の広角撮影装置の実装方法を示す説明図である。
【図１１】実施の形態の広角撮影装置の実装方法を示す説明図である。
【符号の説明】
１  小型監視カメラ
２  フランジ部
３  レンズ固定部
５  レンズ部
９  板ばね
１０  広角撮影装置
１１  レンズマウント
１２  フロントリング
１３  平凹レンズ
【図１】
0004513214.tif 000002
【図２】
0004513214.tif 000003
【図３】
0004513214.tif 000004
【図４】
0004513214.tif 000005
【図５】
0004513214.tif 000006
【図６】
0004513214.tif 000007
【図７】
0004513214.tif 000008
【図８】
0004513214.tif 000009
【図９】
0004513214.tif 000010
【図１０】
0004513214.tif 000011
【図１１】
0004513214.tif 000012